(57)【要約】【課題】空気吸い出し装置を用いて多くの粉塵、水分、油分等を含む収納物を収納した袋からの空気吸い出し操作を行なっても、粉塵や水分、油分等が当該装置内に吸入されないために、当該操作を反復しても、装置内が汚れたり故障が発生したりすることがない、袋からの空気吸い出し装置用チューブを提供することを課題とする。【解決手段】末端が手動ポンプ、電気掃除機等の空気吸い出し装置に接続され、先端が空気が吸い出される袋内に差し込まれる空気吸い出し用チューブであって、前記チューブは２分されてその間に回収ボトル４が配備され、前記回収ボトル４は、上部に、前記２分されたチューブの内の袋側チューブ１ａが接続される流入口８と装置側チューブ１ｂが接続される流出口とを有し、前記流入口８と流出口９とは、直線的にではなく、その下に位置する前記回収ボトルの容体部７を介して連通状態にされる。【選択図】図２
0003126207.tif 000002
【実用新案登録請求の範囲】
【請求項１】
末端が手動ポンプ、電気掃除機等の空気吸い出し装置に接続され、先端が空気が吸い出される袋内に差し込まれる空気吸い出し用チューブであって、前記チューブは２分されてその間に回収ボトルが配備され、前記回収ボトルは、上部に、前記２分されたチューブの内の袋側チューブが接続される流入口と装置側チューブが接続される流出口とを有し、前記流入口と流出口とは、直線的にではなく、その下に位置する前記回収ボトルの容体部を介して連通状態にされることを特徴とする空気吸い出し装置用チューブ。
【請求項２】
前記流入口及び／又は流出口に、フィルターが充填される請求項１に記載の空気吸い出し装置用チューブ。
【請求項３】
前記回収ボトルは、前記流入口と流出口とが形成される変向ブロックと、前記変向ブロックに係止される環状キャップと、前記環状キャップに保持されて粉塵や油液を回収するための容体部とから成り、前記容体部は前記環状キャップに対し脱着自在である請求項１又は２に記載の空気吸い出し装置用チューブ。
【考案の詳細な説明】
【技術分野】
【０００１】
本考案は、一般家庭から出されるゴミを収納したゴミ袋、あるいは、野菜等を詰めた袋等の袋内の空気を吸い出して、その嵩を減少させるための空気吸い出し装置用チューブに関するものである。
【背景技術】
【０００２】
家庭や職場等からは、毎日大量のゴミが出される。ゴミはその回収のために袋詰めされるが、例えばシュレッダー裁断紙や梱包塵、紙屑等が混ざると、袋内の半分以上は空気で占められ、大きく膨らんで嵩張り、取扱いにくくて廃棄処理に手間がかかり、集塵車での回収・輸送効率が悪い。また、生鮮野菜等の物品を袋詰めして移送、保管するような場合にも、嵩張り防止、鮮度保持のために空気抜きする要請がある。
【０００３】
本願出願人は先に、このようなゴミ等を回収させるに際して袋詰めする場合、大量の空気が一緒に詰め込まれるために嵩張り、集塵車での回収・輸送効率を低下させていたこと等に鑑み、簡易な構成で手軽に使用できて、ゴミや生鮮品等を詰めた袋から効率よく空気を吸い出して当該袋をコンパクト化でき、以て、その回収・輸送・保管効率を向上させることができる袋からの空気吸い出し装置を提案している（特願２００６−１３４０４９号）。
【０００４】
その装置は、チューブを介して物を収納した袋内の空気を吸い出すためのポンプを備えたものである。その装置を用いて袋内の空気を吸い出す場合、袋内に粉塵や水分、油分を多く含んだものがあると、粉塵や水分、油分も一緒に吸い出され、チューブを通って空気吸い出し装置内に吸入されることになる。そのような粉塵、水分、油分等の吸入がくり返された場合は、吸い出し装置内が汚れるだけでなく、故障の原因ともなる。
【特許文献１】特願２００６−１３４０４９号公報
【考案の開示】
【考案が解決しようとする課題】
【０００５】
本考案は、上記問題点を解決せんとしてなされたもので、空気吸い出し装置を用いて多くの粉塵、水分、油分等を含む収納物を収納した袋からの空気吸い出し操作を行なっても、粉塵や水分、油分等が当該装置内に吸入されないために、当該操作を反復しても、装置内が汚れたり故障が発生したりすることがない、袋からの空気吸い出し装置用チューブを提供することを課題とする。
【課題を解決するための手段】
【０００６】
上記課題を解決するための請求項１に係る考案は、末端が手動ポンプ、電気掃除機等の空気吸い出し装置に接続され、先端が空気が吸い出される袋内に差し込まれる空気吸い出し用チューブであって、前記チューブは２分されてその間に回収ボトルが配備され、前記回収ボトルは、上部に、前記２分されたチューブの内の袋側チューブが接続される流入口と装置側チューブが接続される流出口とを有し、前記流入口と流出口とは、直線的にではなく、その下に位置する前記回収ボトルの容体部を介して連通状態にされることを特徴とする空気吸い出し装置用チューブである。
【０００７】
好ましくは、前記流入口及び／又は流出口にフィルターが充填され、また、前記回収ボトルは、前記流入口と流出口とを有する変向ブロックと、前記変向ブロックに係止される環状キャップと、前記環状キャップに保持されて粉塵や油液を回収するための容体部とから成り、前記容体部は前記環状キャップに対し脱着自在にされる。
【考案の効果】
【０００８】
本考案の構成は上記のとおりであって、この構成によれば、袋から吸い出された粉塵や水分、油分等を含む空気は、回収ボトルを経て空気吸い出し装置に吸い込まれることになり、回収ボトルにおいては、流入口から入った空気が直線的に流出口から抜けることなく、下方の容体部を経由して抜けることになるため、その間に比重の大きい粉塵、水分、油分等が容体部に回収される。特に、流出口にフィルターが充填される場合は、粉塵、水分、油分等が吸い出し装置に流入することが確実に防止される。
【０００９】
このように、本考案に係る空気吸い出し装置用チューブを用いるときは、袋から吸い出された空気中に含まれる粉塵、水分、油分等が回収ボトル中に回収されるので、それらが空気吸い出し装置中に吸い込まれて装置内を汚染したり、故障を招いたりするおそれがないという効果がある。
【考案を実施するための最良の形態】
【００１０】
本考案を実施するための好ましい形態について、添付図面に依拠して説明する。図１は、本考案に係る空気吸い出し装置用チューブ１の使用状態を示すもので、チューブ１は、その末端が手動ポンプ、電気掃除機等の空気吸い出し装置２に接続され、その先端がゴミ袋、野菜収納袋等の袋２０に差し込まれる。
【００１１】
袋２０に差し込まれるチューブ１の先端部には、必要に応じ、例えば断面が菱形、滴形等の端部が絞られた形状のアダプタ３が取り付けられる。このアダプタ３は、空気吸い出し操作中に、チューブ１の周囲から空気が漏れることを極力防止するためのものである。
【００１２】
チューブ１は、塩化ビニール等の硬質樹脂パイプであってもよいが、好ましくは、ビニールホース、ゴムホース等の可撓性のあるものとされる。チューブ１は、先端側の袋側チューブ１ａと末端側の装置側チューブ１ｂとに２分され、袋側チューブ１ａと装置側チューブ１ｂとは、油液回収ボトル４を介して連結され、この３者間において１つの空気通路が形成される。
【００１３】
回収ボトル４は、変向ブロック５と、変向ブロック５に係止される環状キャップ６と、環状キャップ６に保持される容体部７とから成る。環状キャップ６は、その上面において内方に張り出す環状部６ａが、変向ブロック５の外周面に形成されるフランジ５ａに引掛かることにより、変向ブロック５に係止される。また、容体部７は、通例ネジ込み手段によって環状キャップ６に脱着可能にされる。
【００１４】
変向ブロック５には、袋側チューブ１ａを接続するための流入口８と、装置側チューブ１ｂを接続するための流出口９とが形成される。流入口８と流出口９は、直線的に連通させることなく、下方の容体部７を介して連通するようにされる。即ち、流入口８及び流出口９は、それぞれその奥部分が下方に向かい、容体部７内に開口している。流入口８と流出口９の一方（通例、流入口８側）又は双方に、適宜フィルター１０が充填される。
【００１５】
上記構成の空気吸い出し装置用チューブ１は、その装置側チューブ１ｂが空気吸い出し装置２に接続されて使用される（図１）。袋２０からの空気吸い出しに際しては、袋２０の開口部をまとめた後、袋側チューブ１ａの先端を差し込むスペースを作り、そこに、チューブ先端を差し込む。そして、袋２０の外側から該チューブ先端部（アダプタ３）を押えつつ、空気吸い出し装置２を作動させる。
【００１６】
かくして袋２０内の空気が吸い出されるが、吸い出された空気は、放出される前に必ず回収ボトル４を通過する。その際空気は、変向ブロック５の流入口８、容体部７、流出口９の順に通過することになるが、流入口８は奥端において下方に折曲しているため、流入口８から入った空気は、強制的に容体部７に導入される。そして、そこから上昇して流出口９から流出するが、その際、空気中に含まれている比較的比重の大きい粉塵、水分、油分等は、容体部７から流出口９に流出せずに滞留する。特に、流出口９にフィルター１０が配備されている場合には、そこにおいて粉塵、水分、油分等が十分に捕捉され、容体部７に落下又は滴下して回収される。回収された粉塵、水分、油分等は、貯まり次第、容体部７を環状キャップ６から外して排出される。フィルター１０は、適時洗浄し、また、交換する。
【００１７】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００１８】
【図１】本考案に係る空気吸い出し用チューブの使用状態を示す概略図である。
【図２】本考案に係る空気吸い出し用チューブの構成を示す斜視図である。
【図３】本考案に係る空気吸い出し用チューブの要部縦断面図である。
【符号の説明】
【００１９】
１    空気吸い出し用チューブ
１ａ  袋側チューブ
１ｂ  装置側チューブ
２    空気吸い出し装置
３    アダプタ
４    回収ボトル
５    変向ブロック
６    環状キャップ
７    容体部
８    流入口
９    流出口
１０    フィルター
２０    袋
【図１】
0003126207.tif 000003
【図２】
0003126207.tif 000004
【図３】
0003126207.tif 000005